(57)【要約】      （修正有）【課題】消費電力をより削減することができる光ディスク再生装置を提供する。【解決手段】光ディスクを再生した再生信号をエラー訂正するエラー訂正手段と、エラー訂正した再生信号を一時的に記憶する一時記憶手段と、この一時記憶手段に記憶されているデータ量を管理するデータ残量管理手段とを備え、一時記憶したエラー訂正後の再生信号を伸長して出力する光ディスク再生装置であって、前記データ残量管理手段が、前記データ量が第１のレベルに達してから第２のレベルに達するまでの間を検出すると、少なくとも前記エラー訂正手段への電力供給を抑制する制御を行なう制御手段を備えるようにする。これにより、装置全体の消費電力を削減する。【選択図】図３
2008204608.tif 000002
【特許請求の範囲】
【請求項１】
光ディスクを再生した再生信号を一時的に記憶する一時記憶手段と、
この一時記憶手段に記憶されているデータ量を管理するデータ残量管理手段とを備え、
一時記憶した再生信号を伸長して伸長信号として出力する光ディスク再生装置であって、
光ディスク再生装置の複数の構成手段への電力供給を抑制する第１と第２の電力抑制手段と、
前記光ディスクに記録された信号の転送レートに対応して、前記第１又は第２の電力抑制を行うかを決定する手段と、
前記データ残量管理手段による前記データ量が第１のレベルに達したことを検出する第１レベル検出手段と、
前記第１レベル検出手段の結果に基づいて、前記第１又は第２の電力抑制を行うことにより電力抑制部の電力を抑制し、前記決定された前記第１又は第２の電力抑制状態と前記転送レートに基づいて、前記データ残量管理手段によるデータ量の前記第１のレベルよりも少ない第２のレベルを決定する手段と、
前記第２のレベルに達したことを検出する第２レベル検出手段と、
前記第２レベル検出手段の結果に基づいて、前記の抑制された電力抑制部の電力を再度供給することにより、前記一時記憶手段から連続的に再生を行なっている最中に通常状態に復帰する復帰手段とを備えたことを特徴とする光ディスク再生装置。
【請求項２】
光ディスクを再生した再生信号を一時的に記憶するステップと、
この一時記憶されているデータ量を管理するステップと、
一時記憶した再生信号を伸長して伸長信号として出力するステップと、
前記光ディスクに記録された信号の転送レートに対応して、光ディスク再生装置の複数のブロックへの第１と第２の電力供給の抑制を行うかを決定するステップと、
データ量を管理し、前記データ量が第１のレベルに達したことを検出する第１レベル検出ステップと、
前記第１レベル検出ステップの結果に基づいて、第１又は第２の電力抑制を行うことにより電力抑制部の電力を抑制するステップと、
決定された第１又は第２の電力抑制状態と前記転送レートに基づいて、前記データ量の第１のレベルよりも少ない第２のレベルを決定するステップと、
前記第２のレベルに達したことを検出する第２レベル検出ステップと、
前記第２レベル検出ステップの結果に基づいて、抑制された電力抑制部の電力を再度供給することにより、前記一時記憶し連続的に再生を行なっている最中に通常状態に復帰する復帰ステップとを備えたことを特徴とする光ディスク再生方法。
【発明の詳細な説明】
【技術分野】
【０００１】
本発明は、ＭＤ（Ｍｉｎｉ  Ｄｉｓｃ）、ＭＤ２、ビデオＣＤ（Ｃｏｍｐａｃｔ  Ｄｉｓｃ）、高画質ビデオＣＤ、ＣＤ−Ｒ、ＣＤ−ＲＷ、ＤＶＤ（Ｄｉｇｉｔａｌ  Ｖｅｒｓａｔｉｌｅ  Ｄｉｓｃ）、ＤＶＤビデオ、ＤＶＤオーディオ、ＤＶＤ−ＲＯＭ、ＤＶＤ−Ｒ、ＤＶＤ−ＲＡＭ、ＤＶＤ−Ｒ／Ｗ、ＤＶＤ＋ＲＷ、ＭＯ等の光ディスクから情報を再生する光ディスク再生装置及び光ディスク再生方法に係り、特に、圧縮伸長を行なうため、或いはショックプルーフのためにデータを一時的に記憶する一時記憶手段を有する装置において、消費電力を軽減することができる技術に関する。
【背景技術】
【０００２】
一般に、ＣＤ、ＤＶＤ、ＭＤ等の光ディスクのポータブル型再生装置、例えばＭＤのポータブル型再生装置においては、約１０秒間の再生時間に相当する情報量を記憶する４ＭＢ程度の容量のショックプルーフメモリを有しており、このメモリにデータを一時的に記憶することを利用して、メモリから例えば音楽信号が再生されている間に、ピックアップをトラック間でキックして次に再生すべきセクタに対して回転待ちを行なっている。また、例えばＤＶＤの再生装置においても、同様に４ＭＢ程度、或いは１６ＭＢ程度の容量の一時記憶メモリを持っていて、可変転送レートの速い転送速度でこのメモリに再生情報を
一時的に記憶しつつ順次読み出して、ピックアップをトラック間でキックして次に再生すべきセクタに対して回転信号を行なっている。この場合には、転送速度が速いことから上記４ＭＢの記憶容量は、０．５秒程度、１６ＭＢの記憶容量は２秒程度の再生時間に相当する。
【特許文献１】特になし
【発明の開示】
【発明が解決しようとする課題】
【０００３】
一方、上述したような光ディスクの再生装置において携帯が可能なポータブル型の装置にあっては、電池の使用時間をできるだけ長くするために、装置全体の使用電力を極力抑制することが望まれて種々提案されている。例えば特開平５−３４２５８５号公報にあっては、ミニディスク再生装置において、ディスクからの情報再生中に一時記憶メモリのデータ量が最大（所定値）になった時点で電力セーブする提案がなされている。この場合、メモリ容量が４ＭＢであって１０秒間だけ電力セーブを行なうものであり、メモリとしては、固定の時間管理でよく、詳細な時間管理は必要ない。そのため、電力セーブする回路
ブロックも所定の一箇所でよく、再起動時の処理も１つの方法で対処できる。しかしながら、実際には、光ディスクの種類や再生信号の種類等が異なる時には、一時記憶メモリデータが貯まる時間がそれぞれ異なる場合があり、最大の安全時間を見越して復帰時間を固定的に決めておかねばならなかった。そのため、消費電力の削減効果がそれ程大きいものではなかった。本発明は、以上のような問題点に着目し、これを有効に解決すべく創案されたものであり、その目的は消費電力をより削減することができる光ディスク再生装置及び光ディスク再生方法を提供することにある。
【課題を解決するための手段】
【０００４】
上記した課題を解決するために、本発明は、（１）、（２）の構成になる光ディスク再生装置及び光ディスク再生方法を提供する。
（１）光ディスクを再生した再生信号を一時的に記憶する一時記憶手段と、
この一時記憶手段に記憶されているデータ量を管理するデータ残量管理手段とを備え、
一時記憶した再生信号を伸長して伸長信号として出力する光ディスク再生装置であって、
光ディスク再生装置の複数の構成手段への電力供給を抑制する第１と第２の電力抑制手段と、
前記光ディスクに記録された信号の転送レートに対応して、前記第１又は第２の電力抑制を行うかを決定する手段と、
前記データ残量管理手段による前記データ量が第１のレベルに達したことを検出する第１レベル検出手段と、
前記第１レベル検出手段の結果に基づいて、前記第１又は第２の電力抑制を行うことにより電力抑制部の電力を抑制し、前記決定された前記第１又は第２の電力抑制状態と前記転送レートに基づいて、前記データ残量管理手段によるデータ量の前記第１のレベルよりも少ない第２のレベルを決定する手段と、
前記第２のレベルに達したことを検出する第２レベル検出手段と、
前記第２レベル検出手段の結果に基づいて、前記の抑制された電力抑制部の電力を再度供給することにより、前記一時記憶手段から連続的に再生を行なっている最中に通常状態に復帰する復帰手段とを備えたことを特徴とする光ディスク再生装置。
（２）光ディスクを再生した再生信号を一時的に記憶するステップと、
この一時記憶されているデータ量を管理するステップと、
一時記憶した再生信号を伸長して伸長信号として出力するステップと、
前記光ディスクに記録された信号の転送レートに対応して、光ディスク再生装置の複数のブロックへの第１と第２の電力供給の抑制を行うかを決定するステップと、
データ量を管理し、前記データ量が第１のレベルに達したことを検出する第１レベル検出ステップと、
前記第１レベル検出ステップの結果に基づいて、第１又は第２の電力抑制を行うことにより電力抑制部の電力を抑制するステップと、
決定された第１又は第２の電力抑制状態と前記転送レートに基づいて、前記データ量の第１のレベルよりも少ない第２のレベルを決定するステップと、
前記第２のレベルに達したことを検出する第２レベル検出ステップと、
前記第２レベル検出ステップの結果に基づいて、抑制された電力抑制部の電力を再度供給することにより、前記一時記憶し連続的に再生を行なっている最中に通常状態に復帰する復帰ステップとを備えたことを特徴とする光ディスク再生方法。
【発明の効果】
【０００５】
本発明によれば、次のように優れた効果を発揮することができる。ショックプルーフやデータの圧縮伸長のために用いられる一時記憶手段からの再生信号の再生中であって、この記憶手段へのデータの書き込み禁止中に、不要な部位（回路）への電力供給をカットするようにしたので、その分、装置全体の消費電力を抑制することができる。また、再生信号の再生速度、再生信号の種類、再生される光ディスクの種類或いは再生される光ディスクの線速度に基づいて電力セーブモードの態様を選択することにより再生動作に悪影響を与えない範囲で、大幅に消費電力を削減することができる。
【発明を実施するための最良の形態】
【０００６】
以下に、本発明に係る光ディスク再生装置の一実施例を添付図面に基づいて詳述する。図１は再生装置の参考例１を示すブロック構成図、図２は光ディスク内のセクタの概念を説明するための説明図、図３は一時記憶手段内の記憶データ量の変化を示すグラフ、図４及び図５は再生装置の動作のフローチャートを示す図である。
【０００７】
まず、光ディスク１の構成は、図２に示すように記録面は、同心円状に複数のエリア、図示例では内周側のエリアＡと外周側のエリアＢの２つに区画されており、この記録面全体に同心円状、或いは螺旋状にトラック（図示せず）が形成される。ここでは光ディスク１は線速度（ＣＬＶ：Ｃｏｎｓｔａｎｔ  Ｌｉｎｅａｒ  Ｖｅｒｏｃｉｔｙ）が一定で回転制御されるので、内周側のエリアＡでは一周が例えば４つのセクタに分割設定され、外周側のエリアＢでは一周が例えば８つのセクタに分割設定されている。そして、回転周期は、後述するピックアップ手段が内周側のエリアＡに位置する時が４０ｍｓｅｃ、外周側のエリアＢに位置する時が８０ｍｓｅｃ程度である。
【０００８】
次に、図１に参照して再生装置について説明する。図中、符号２は光ディスク１を回転するスピンドルモータ、符号３は情報読み出し用のレーザ光を発生するレーザ発生手段、符号４は光ディスク１に照射されたレーザ光の反射光を検出するピックアップ手段であり、レーザ発生手段３とピックアップ手段４は駆動機構５により光ディスク１の半径方向へ一体的に移動される。符号６は、上記ピックアップ手段４により読み出した信号から再生信号とサーボ信号を、また、ＣＬＶ制御用の速度信号をそれぞれ生成すると共に、レーザパワー制御回路（ＡＰＣ）を備えた再生・サーボ信号生成手段であり、これには、フォーカス信号生成回路、トラッキングエラー信号生成回路、再生信号生成回路、イコライザー回路、ＰＬＬ回路、速度信号生成回路等が含まれる。符号７は、サーボブロックであり、これにはフォーカス制御手段８とトラッキング制御手段９等が含まれる。符号１０は、ピックアップ手段４やスピンドルモータ２の動作を行なうドライバ手段であり、これにはフォーカス用回路１１及びトラッキング用回路１２等が含まれる。
【０００９】
符号１３は、再生・サーボ信号生成手段６からの再生信号をアナログからデジタルへ変換するＡ／Ｄ変換部であり、符号１４は、信号処理手段であり、例えば再生信号をＥＦＭ（Ｅｉｇｈｔ  ｔｏ  Ｆｏｕｒｔｅｅｎ  Ｍｏｄｕｌａｔｉｏｎ）＋信号からＮＲＺデータにデコードする。符号１５はエラー訂正手段であり、デコードされた再生信号のエラー訂正処理を行なう。ここでエラー訂正されたデータ信号は可変転送レートで圧縮された信号である。符号１６は、例えばＤＲＡＭよりなる４ＭＢの記憶容量を持つ一時記憶手段であり、上記圧縮データを記憶して可変転送レートの時間軸の吸収を行なう。符号１７は、例えばＡ（オーディオ）−Ｖ（ビデオ）デコーダよりなる伸長手段であり、上記圧縮データを伸長する。符号１８は分離部であり、伸長されたデータ中にオーディオ信号とビデオ信号が含まれる場合には両者を分離する。符号１９、２０は、Ｄ／Ａ変換部であり、それぞれの信号を音声信号と映像信号として出力する。符号２１はスピーカ、符号２２はモニタである。
【００１０】
符号２３は上記一時記憶手段１６内に記憶されているデータ量を管理するデータ残量管理手段であり、符号２４は、タイマーであり、上記一時記憶手段１６への書き込みを禁止した時から所定の時間、ここでは例えば４００ｍｓｅｃの時間を計測する。符号２５は再生セクタ記憶部であり、次に再生すべきセクタ番号を記憶する。符号２６は入力部であり、操作者が必要な指令を入力する時に用いる。符号２７は例えばマイクロコンピュータ等よりなる制御手段であり、この装置全体の動作を制御する。
【００１１】
次に、以上のように構成された装置の動作について説明する。まず、ピックアップ手段４により読み出された光ディスク１の再生信号は、再生・サーボ信号生成手段６に入力されて、ここで再生信号とサーボ信号と速度信号を生成する。生成されたサーボ信号は、サーボブロック７へ入力されて、これに基づいてフォーカス制御手段８はフォーカスエラー信号を生成し、トラッキング制御手段９は、トラッキング信号を生成する。そして、このフォーカスエラー信号とトラッキング信号はドライバ手段１０へ入力されて、各信号に基づいてフォーカス用回路１１はフォーカス制御を、トラッキング用回路１２はトラッキング制御を、それぞれピックアップ手段４に対して行なう。これによりピックアップ手段４の一巡のサーボ制御を行なう。
【００１２】
また、上記速度信号は、再生・サーボ信号生成手段６に含まれるＰＬＬ回路により得られるが、この速度信号は、サーボブロック７のスピンドル制御手段３０へ入力されて、これに基づいてスピンドル制御手段３０はスピンドル制御信号を生成し、ドライバ手段１０のスピンドル用回路３１ヘ出力する。これによりスピンドル用回路３１はスピンドルモータ２の回転を制御することによりＣＬＶ制御を行なっている。また、スピンドルモータ２の図示しないホール素子などの回転位置信号をスピンドル制御回路３０へ帰還し、この信号から生成した速度信号から、一定回転のＦＧ（Ｆｒｅｑｕｅｎｃｙ  Ｇｅｎｅｒａｔｏｒ）制御も行なっている。ピックアップ手段４からの再生信号は、再生・サーボ信号生成手段６のイコライザーで周波数特性を最適化され、これにＰＬＬをかけられる。
【００１３】
この再生信号は、更にＡ／Ｄ変換部１３にてデジタル信号に変換されて信号処理手段１４へ入力される。このデジタル信号からは、同期検出が行なわれて、これを基にしてディスク上のＥＦＭ＋信号からＮＲＺデータにデコードされる。このデコードされた信号は、エラー訂正手段１５に入力されてここでエラー訂正処理を行なってセクタのアドレス信号とデータ信号を得る。このデータ信号は、可変転送レートで圧縮された信号であるので、これを一時的に一時記憶手段１６に記憶して可変転送レートの時間軸の吸収を行なう。また、ＣＤやＤＶＤオーディオのディスクには圧縮されていない信号が記録されているものもあるが、これも含めて、ディスクから読み出された信号よりも音声や映像の信号の方が転送レートが低い場合に、同様に一時記憶手段１６によるバッファ処理が行なわれる。この一時記憶手段１６から読み出された信号は、Ａ−Ｖデコーダよりなる伸長手段１７により伸長されて、更に分離部１８によりオーディオ信号とビデオ信号とに分離される。そして、各信号はそれぞれＤ／Ａ変換部１９、２０によってアナログ信号に変換されて、音声信号と映像信号としてそれぞれ出力されることになる。
【００１４】
ここで、上記一時記憶手段１６における動作を詳述する。この記憶手段１６は前述のように例えば４ＭＢの記憶容量を有しており、これは光ディスクがＤＶＤで転送レートが８Ｍｂｐｓの場合には５００ｍｓｅｃ程度の時間情報量に相当し、従って、トラック一周の時間を８０ｍｓｅｃとしても、トラック６周分程度の時間的余裕に相当する。図３中において、データ記憶量の第２のレベルであるフルや第１のレベルであるエンプティの各所定値はそれぞれ一定の余裕を考慮して見込んで設定されており、フルが１００％を、エンプティが０％を意味するものではない。この時の一時記憶手段１６のデータ量はデータ残量管理手段２３においてモニタされる。
【００１５】
図３に示すように、一時記憶手段１６には、ピックアップ手段４により光ディスク１の所定の位置のセクタから情報の再生を開始した時点で、前述したようなトラッキング、フォーカスの各エラーの監視や信号処理上のエラー処理を行なった後、順次書き込みが開始
される（ａ領域）。そして、記憶量がエンプティレベルを越えた時点で、一時記憶手段１６からの読み出し及び伸長手段１７での伸長操作を開始する（ｂ領域）。以後、この読み出し及び伸長操作は、当該ファイルのデータがなくなるまで連続的に行なわれる。また、光ディスク１からの読み取り速度は、一時記憶手段１６からの読み出し速度よりも早いのは勿論である。
【００１６】
そして、一時記憶手段１６のデータ記憶量がフルになるまでピックアップ手段４からの再生信号を書き込み、データ記憶量がフルになったならば、一時記憶手段１６へのデータの書き込みを禁止する（ｃ領域）。そして、データ記憶量がエンプティになるまで（これは通常は時間計算で行なわれる）、次に、再生すべきセクタにピックアップ手段４がくるようにトラックキックして待機することになる。この時の、次の再生すべきセクタ番号は、再生セクタ記憶部２５に記憶されている。このようにして、以後は、一時記憶手段１６への光ディスク１からの情報の書き込みと書き込み禁止を繰り返し行なって行くことになる。
【００１７】
以上の動作は、従来の一般的な再生装置の動作である。ここで本発明においては、回転待ちをしている約５００ｍｓｅｃのｃ領域の間で、時間的に余裕を持った例えば４００ｍｓｅｃの程度の間だけ動作に不要な部位への供給電力をカットしている。この４００ｍｓｅｃの時間は、図１中のタイマー２４において計測する。すなわち、一時記憶手段１６のデータ記憶量がフルを検出した時点で、タイマー２４を動作させて例えば４００ｍｓｅｃを計測し、この４００ｍｓｅｃのｃ１領域の間だけ不要な部位への供給電力をカットするようにした電力セーブモードに入る。そして、４００ｍｓｅｃが経過したならば、電力セーブモードから通常のモードへ復帰する（ｃ２領域）。
【００１８】
この電力セーブモードの態様としては、以下に示す例えば３つの態様を取ることができる。
【００１９】
＜態様１＞
まず、態様１としては、サーボ制御に影響を与えないで、しかも一時記憶手段１６からは貯まっているデータが読み出されていることからこの処理を阻害しないようにする必要があるので、上記信号処理手段１４への供給電力をカットしてこの全部、すなわち同期検出処理、ＥＦＭ＋変換処理、及びエラー訂正手段１５への供給電力をカットしてこの全部、すなわちエラー訂正処理を中断する。また、一時記憶手段１６への書き込み制御も中断する。これにより、装置全体としての消費電力を抑制する。また、サーボ系としては、キック待ちした状態で４００ｍｓｅｃ経過後、上記電力の供給を復帰させて通常のキック待ち状態に戻す。
【００２０】
＜態様２＞
態様２としては、上記態様１の操作に加えて、フォーカス制御はかけた状態としてトラッキング制御のみをオフする。ここで、次に再生すべきセクタを再生セクタ記憶部２５へ記憶しておくのは勿論である。そして、トラッキング制御のオフ状態では、信号が１００％得られないので、スピンドルモータのＣＬＶ制御モードの中で、ＲＦ信号の信号成分を間欠的に抽出して、速度信号を生成するＣＬＶのラフサーボに移行する。電力セーブとしては、再生・サーボ信号生成手段６の一部、例えばトラッキングエラー信号生成回路とサーボブロック７の一部、例えばトラッキング制御手段９とドライバ手段１０の一部、例えばトラッキング用回路１２への供給電力をカットする。これにより、上記態様１の場合よりも、更に消費電力を抑制することが可能となる。サーボ系としては、トラッキング制御を切っているので、４００ｍｓｅｃ経過後、電力の供給を復帰して、トラッキング制御をオンとし、そこでのセクタアドレスを検出して記憶しておいた通常のキックすべきセクタに移動し、そこで、キック待ち状態に戻す。
【００２１】
＜態様３＞
態様３としては、上記態様１の操作に加えて、フォーカス制御とトラッキング制御をオフする。ここで、次に再生すべきセクタを再生セクタ記憶部２５へ記憶しておくのは勿論である。そして、フォーカス制御とトラッキング制御のオフ状態では、再生信号が得られず、スピンドルモータ２のＣＬＶの制御モードで制御できないので、前記ＦＧモードの制御に移行する。特に、ここでは現在のセクタが分かっているので、これに対応したＦＧの回転数を、制御手段２７が設定し、一定回転のＦＧの回転速度を設定する。電力セーブとしては、再生・サーボ信号生成手段６の全部（すなわち、レーザパワー制御回路（ＡＰＣ）、フォーカス信号生成回路、トラッキングエラー信号生成回路、再生信号生成回路、イコライザー回路、ＰＬＬ回路、速度信号生成回路であり）、また、サーボブロック７の全部（すなわち、フォーカス制御手段８とトラッキング制御手段９であり）、また、ドライバ手段１０の一部（すなわち、フォーカス用回路１１、トラッキング用回路１２であり）への供給電力をカットする。これにより、上記態様２の場合よりも更に消費電力を抑制することが可能となる。サーボ系としては、フォーカス制御とトラッキング制御を切っているので、ここでは多めに余裕を見てタイマー２４を先の態様１、２よりも短い３００ｍｓｅｃにセットし、この期間経過後に、電力の供給を復帰する。そして、これによりフォーカス制御をオンし、次に、トラッキング制御をオンし、そこでのセクタアドレスを検出して先に記憶しておいた通常のキックすべきセクタに移動し、そこでキック待ち状態に戻す。
【００２２】
尚、上記各態様１、２、３において、共通する内容として、この電力セーブの間に、入力部２６より何らかの入力信号を受けた場合、例えば、携帯用のビデオムービーである場合、再生中に、サーチや頭出しなどのキー入力が発生した場合や、再生している音声や画像に、エラーが発生するなどして再度必要な情報を光ディスク上から再生するような状態になった場合、これを監視する手段を持ち、この入力を判断することにより、パワーセーブ状態から、直ちに通常のモードに復帰し、入力に対応した処理に移行する。
【００２３】
次に、以上の動作を図４及び図５に示すフローチャートを用いて総括的に説明する。まず、再生装置の再生が開始すると、ピックアップ手段４が再生開始の所定のセクタへ行くと情報の読み出しが開始され（Ｓ１）、読み出された情報データのエラー訂正がエラー訂正手段１５により開始される（Ｓ２）。そして、エラー訂正がなされたデータの一時記憶手段１６への記憶も開始されることになる（Ｓ３）。ここでデータ残量管理手段２３は、一時記憶手段１６のデータ記憶量をモニタしており（Ｓ４）、このデータ記憶量がエンプティレベルを越えた時に、制御手段２７はこの一時記憶手段１６からのデータの読み出しを開始すると共に伸長手段１７の動作も開始してこの圧縮されているデータを伸長手段１７にて伸長させる（Ｓ５）。
【００２４】
そして、一時記憶手段１６のデータ記憶量がフルになったならば（Ｓ６）、これと同時に一時記憶手段１６へのデータの書き込みの禁止（Ｓ７）、次の読み出しセクタの再生セクタ記憶部２５への記憶（Ｓ８）、前述したような３態様の内のいずれか１つの態様の電力セーブモードへの移行（Ｓ９）及びタイマー２４のスタート（Ｓ１０）を行なう。そして、上記タイマー２４でセットした時間、例えば４００ｍｓｅｃが経過したならば（Ｓ１１）、電力セーブモードから通常のモードへと復帰する（Ｓ１２）。そして、記憶しておいた通常のキックすべきセクタへピックアップ手段４を移動し（Ｓ１３）、キック待ち状態とする（Ｓ１４）。そして、一時記憶手段１６のデータ記憶量がエンプティになったならば（Ｓ１５）、ピックアップ手段４を再生すべきセクタにキックし（Ｓ１６）、読み出すべきデータが存在する間は、上記各ステップを繰り返し行なう（Ｓ１７）。そして、読み出すべきデータがなくなったならば再生処理を終了する。
【００２５】
また、Ｓ１１においてタイマー時間が経過していない間、すなわち電力セーブモードの間においても、常時、緊急入力があるか否かが判断され（Ｓ１８）、緊急入力があった場合には対応する緊急処理を行ない（Ｓ１９）、その結果、再生処理を継続したり、終了したりすることになる。以上の参考例１においては、電力セーブモードの各態様１〜３に適用については詳しく述べなかったが、ここでは先の態様１〜３と類似する新たな態様４〜６と、その適用条件について参考例２〜参考例４を参照して詳しく説明する。
【００２６】
まず、参考例２では、ここでは光ディスクからの再生信号の再生速度、すなわち転送レートに基づいて電力セーブモードの態様を選択する。図６はこのような参考例２のブロック構成図を示している。ここでは再生・サーボ信号生成手段６と制御手段２７との間に速度検出手段３５を設けており、再生信号の再生速度（転送レート）を検出して、その検出結果を制御手段２７へ入力している。他の構成部分は、図１に示す参考例１の構成と同じなので同一符号を付して説明を省略する。例えば記録型のＤＶＤ等において再生信号の転送レートの異なるディスクが、例えば記録させたディスクの種類によって下記のように異なる種類のものがあると仮定する。
１．画質は良いが、全体の再生時間が２時間程度である２時間モード。
２．画質は普通であるが、全体の再生時間が４時間程度である４時間モード。
３．画質は悪いが、全体の再生時間が６時間程度である６時間モード。
このような再生信号の転送レートの可変量をディスクのコントロール信号を読み出して、上記速度検出手段３５が決定した段階で、これに合わせて電力セーブモードを態様４〜６の３つの態様の内から１つ選択する。
【００２７】
＜態様４＞
態様４としては、フォーカス制御はかけた状態としてトラッキング制御のみをオフする。ここで、次に記録すべきセクタをセクタ記憶部２５へ記憶しておくのは勿論である。そして、トラッキング制御のオフ状態では、信号が１００％得られないので、スピンドルモータのＣＬＶ制御モードの中で、ＲＦ信号の信号成分を間欠的に抽出して、速度信号を生成するＣＬＶのラフサーボに移行する。電力セーブとしては、制御手段２７の制御によって記録再生・サーボ手段６の一部、例えばトラッキングエラー信号生成回路とサーボブロック７の一部、例えばトラッキング制御手段９とドライバ手段１０の一部、例えばトラッキング用回路１２への供給電力をカットする。サーボ系としては、トラッキング制御を切っているので、ポーズ解除信号の入力後、後述するように制御手段で求められた復帰タイミングになった時、すなわち電力セーブモードになってから略４００ｍｓｅｃ経過した時、電力の供給を復帰して、トラッキング制御をオンとし、そこでのセクタアドレスを検出して記憶しておいた通常のキックすべきセクタに移動し、そこで、キック待ち状態に戻す。
【００２８】
＜態様５＞
態様５としては、フォーカス制御とトラッキング制御とレーザ発生手段３をオフする。
ここで、次に記録すべきセクタをセクタ記憶部２５へ記憶しておくのは勿論である。そして、フォーカス制御とトラッキング制御のオフ状態では、再生信号が得られず、スピンドルモータ２のＣＬＶの制御モードで制御できないので、前記ＦＧモードの制御に移行する。特に、ここでは現在のセクタが分かっているので、これに対応したＦＧの回転数を、制御手段２７が設定し、一定回転のＦＧの回転速度を設定する。電力セーブとしては、制御手段２７の制御によって記録再生・サーボ手段６の全部、例えばフォーカス信号生成回路、トラッキングエラー信号生成回路、再生信号生成回路、イコライザー回路、ＰＬＬ回路、速度信号生成回路とサーボブロック７の全部、例えばフォーカス制御手段８とトラッキング制御手段９とトラバース制御手段４０及びドライバ手段１０の一部、例えばフォーカス用回路１１、トラッキング用回路１２、レーザ発生手段３への供給電力をカットする。
これにより、上記態様４の場合よりも更に消費電力を抑制することが可能となる。
【００２９】
サーボ系としては、フォーカス制御とトラッキング制御を切っているので、後述するように制御手段で求められた復帰タイミングになった時、すなわち電力セーブモードになってから略５００ｍｓｅｃ経過した時に、電力の供給を復帰する。そして、これによりレーザ発生手段３をオンした後にフォーカス制御をオンし、次に、トラッキング制御をオンし、そこでのセクタアドレスを検出して先に記憶しておいた通常のキックすべきセクタに移動し、そこでキック待ち状態に戻す。特に、ここでスピンドルモータ２を止めない理由は、スピンドルモータ２を止めてから復帰するのには、２ｓｅｃ程度の時間を要し、バッファーの記憶時間５００ｍｓｅｃをこえてしまうためである。但し、より消費電力を軽減するために、前記スピンドルモータのＦＧモードでの回転数を本来の１／２や、１／４程度に落とすことは、実施例の範囲であるのは勿論である。
【００３０】
＜態様６＞
態様６としては、フォーカス制御とトラッキング制御とレーザ発生手段３とスピンドル制御をオフする。ここで、次に記録すべきセクタをセクタ記憶部２５へ記憶しておくのは勿論である。この状態ではフォーカス制御、トラッキング制御、レーザ発生手段３及びスピンドル制御を全て停止しているので、大幅に消費電力を削減することができる。ただし、例えば復帰するための時間として１秒程度かかり、且つスピンドルモータの起動時にある程度の大きい電力を必要とするので、例えば６秒程度の時間以上の電力セーブ時間で、このモードにしないと、かえって電力消費が大きくなってしまう。電力セーブとしては、制御手段２７の制御によって記録再生・サーボ手段６の全部、例えばフォーカス信号生成回路、トラッキングエラー信号生成回路、再生信号生成回路、イコライザー回路、ＰＬＬ回路、速度信号生成回路とサーボブロック７の全部、例えばフォーカス制御手段８とトラッキング制御手段９とスピンドル制御手段３０及びドライバ手段１０の全部、例えばフォーカス用回路１１、トラッキング用回路１２、スピンドル用回路３１への供給電力をカットする。これにより、上記態様５の場合よりも更に消費電力を抑制することが可能となる。
【００３１】
サーボ系としては、フォーカス制御とトラッキング制御、レーザ発生手段３とスピンドル制御を切っているので、後述するように制御手段で求められた復帰タイミングになった時、すなわち電力セーブモードになってから略１０００ｍｓｅｃ経過した時に電力の供給を復帰する。そして、これによりレーザ発生手段３をオンした後にスピンドル制御をオンし、その後フォーカス制御をオンし、次に、トラッキング制御をオンし、そこでのセクタアドレスを検出して先に記憶しておいた通常のキックすべきセクタに移動し、そこでキック待ち状態に戻す。ここで図７を参照して上記各態様４〜６における電力セーブモードの時間の長さや通常モードへ復帰するまでの消費電力の変化について詳しく説明する。
【００３２】
図７（Ａ）は態様４の場合の消費電力の変化を示し、図７（Ｂ）は態様５の場合の消費電力の変化を示し、図７（Ｃ）は態様６の場合の消費電力の変化を示している。図７（Ａ）に示す態様４の場合は、前述のようにフォーカス制御はかけた状態でトラッキング制御のみをオフしている。この場合は、例えば全体の記録時間が２時間モードであるので、画質等は良いが転送レートが高く、フルからエンプティまで達する時間が５００ｍｓｅｃ程度（図３中の領域Ｃ１＋Ｃ２に対応）であってかなり短く、また、オフしている制御も少ないので、復帰に要する時間Ｃ２も短く１００ｍｓｅｃ程度である。そして、電力セーブモード時の消費電力は待機時に対して８０％程度である。電力セーブモードから通常モードに復帰する時、トラッキング制御がオンすると所定のトラックをシークするまでの間は一時的に大きな消費電力（１１０％）を必要とし、待機中には１００％に戻る。尚、光ディスクからの読み出し時には、１２０％の消費電力を必要としている。
【００３３】
図７（Ｂ）に示す態様５の場合は、前述のようにフォーカス制御、トラッキング制御及びレーザ発生手段３をオフしている。この場合は、例えば全体の記録時間が４時間モードであるので、画質と転送レートは普通であり、フルからエンプティまで達する時間が１ｓｅｃ程度（図３中の領域Ｃ１＋Ｃ２に対応）であって、態様４よりも少し長くなり、また、オフしている制御も少し多くなったので、復帰に要する時間Ｃ２も少し長くなって５００ｍｓｅｃ程度である。電力セーブモード時の消費電力は待機中に対して５０％程度であり、態様４の場合より効率的である。そして、電力セーブモードから通常モードに復帰する時、レーザオン、フォーカス制御オン、トラッキング制御オンの順序で次第に復帰され、これに従って、消費電力も徐々に上昇して行く。
【００３４】
図７（Ｃ）に示す態様６の場合は、前述のようにフォーカス制御、トラッキング制御、レーザ発生手段３及びスピンドル制御をオフしている。この場合は、例えば全体の録時間が６時間モードであるので画質は悪いが転送レートは小さく、フルからエンプティまで達する時間が２ｓｅｃ程度（図３中の領域Ｃ１＋Ｃ２に対応）であって、態様５よりも更に長くなり、またオフしている制御も更に多くなったので復帰に要する時間も更に長くなって１ｓｅｃ程度である。電力セーブモード時の消費電力は待機時に対して２０％程度であり、態様５の場合よりも更に効率的である。そして、電力セーブモードから通常モードに復帰する時、スピンドルオン、レーザオン、フォーカス制御オン及びトラッキング制御オンの順序で次第に復帰され、これに従って消費電力も徐々に上昇して行く。各態様４〜６の電力削減量は、電力セーブモードを用いない場合に対してそれぞれ約８４％、約７５％、約６０％になり、再生動作に悪影響を与えない範囲で大幅に消費電力を削減することが可能となる。
【００３５】
具体的な事例を説明すると、例えば、４ＭＢの一時記憶手段１６で、２時間モードとした場合、８Ｍｂｐｓの画像を記録でき、０．５ｓｅｃの時間だけ一時記憶手段１６にためることができるとする。すると、４時間モードの場合は４Ｍｂｐｓで１ｓｅｃ、８時間モードの場合は２Ｍｂｐｓで２ｓｅｃとなる。ここで、低消費電力モードとして態様４を選択したのであれば、省電力モードからの復帰時間は、例えば１００ｍｓｅｃで固定であるから、通常モードへの復帰タイミングは、仮にエンプティを０、フルを４ＭＢとした場合、１００ｍｓｅｃ／５００ｍｓｅｃ＝０．２であるから、４ＭＢ×０．２＝０．８ＭＢの値となる。つまり、４ＭＢに対して、記憶データ量が０．８ＭＢになった時点を復帰のタイミングとすれば良く、このタイミングより復帰動作が開始される。他の態様５、６に関しても、同様な手順で復帰のタイミングが制御手段２７において求められる。ここで示した計算は４ＭＢの記憶容量を全て用いた時の計算であるが、実際には余裕をみてエンプティ、フルともに下駄をはいた値を用いる。尚、この参考例２における制御の流れに関しては、図４及び図５に示すフローチャートが適用されるのは勿論である。上記参考例２においては、再生信号の再生速度に応じて電力セーブモードの態様を選択していたが、これに代えて、再生信号の種類に応じて電力セーブモードの態様を選択するようにしてもよい。
【００３６】
図８はこのような参考例３のブロック構成図を示している。ここでは再生・サーボ信号生成手段６と制御手段２７との間に信号種類決定手段３６を設けており、再生される再生信号の種類を判別して決定し、その決定結果を制御手段２７へ入力している。他の構成部分は、図１に示す参考例１の構成と同じなので同一符号を付して説明を省略する。また、信号種類決定手段３６の機能を入力部２６に割り当て、入力信号の種類を、入力部２６からマニュアルにより入力するようにしてもよい。再生信号としては、ＤＶＤディスクにおいて、ビデオ信号とオーディオ信号の双方を含む場合と、オーディオ信号のみを含む場合の２種類を例にとって説明する。例えば再生信号が、ビデオ信号とオーディオ信号を含む場合には高画質で記録すると仮定すると、転送レートを例えば８Ｍｂｐｓとして高く設定して記録時間を２時間程度とするモードの時には、態様４を選択する。
【００３７】
また、再生信号がオーディオ信号のみを含む場合には、映像信号に比較してデータ量が少ないために高音質で記録すると仮定すると、転送レートを例えば２Ｍｂｐｓとして低く設定して記録時間を８時間とするモードの時には、態様６を選択する。このように、制御手段２７は信号種類決定手段３６からの信号種類決定結果に基づいて、電力セーブモードとして上記態様４または態様６のいずれか一方を選択する。この時、各態様毎に通常モードへの復帰時間が異なるので、復帰のタイミングを一時記憶手段１６の残量容量の換算値として計算しておく。上記参考例３においては、再生信号の種類に応じて電力セーブモードの態様を選択していたが、これに代えて、再生される光ディスクの種類に応じて電力セーブモードの態様を選択するようにしてもよい。
【００３８】
図９はこのような参考例４のブロック構成図を示している。ここではピックアップ手段４と制御手段２７との間にディスク種類判別手段３７を設けており、装填される光ディスク１の種類を判別し、その判別結果を制御手段２７へ入力している。他の構成部分は図１に示す参考例１の構成と同じなので、同一符号を付して説明を省略する。上記ディスク種類判別手段３７は、光ディスク１が装填された時点でその種類を判別するが、その方法或いは機構としてはすでに幾つか提案されており、例えば光ディスクの種類に応じて反射光量が異なることを利用して、照射レーザ光の反射光量を検出し、この検出値に基づいて光ディスクの種類を判別するようにした機構を用いることができる。
【００３９】
ここでは、光ディスクの種類としては、ＤＶＤディスクと、これと共通に記録することができるＣＤ−ＲＷディスクとを用い、再生信号としてはビデオ信号とオーディオ信号を再生する場合を例にとって説明する。例えば、ディスク種類判別手段３７の判別結果がＤＶＤのタイプの光ディスクか、ＣＤ−ＲＷのタイプの光ディスクかを判別し、判別結果がＤＶＤの場合には、ＭＰＥＧ２の高画質で再生すると仮定すると、転送レートを例えば８Ｍｂｐｓとして高く設定して記録時間を２時間程度とするモードの時には態様４を選択する。また、上記判断の結果、光ディスクがＣＤ−ＲＷの場合には、ＭＰＥＧ１の普通の画質で再生すると仮定すると、転送レートを例えば２Ｍｂｐｓとして低く設定して記録時間を１時間とするモードの時に態様６を選択する。
【００４０】
このように、制御手段２７は上記ディスク種類判別手段３７の判別結果に基づいて、電力セーブモードとして上記態様４または態様６のいずれか一方を選択する。この時、各態様毎に通常モードへの復帰のタイミングが異なるので、復帰のタイミングを一時記憶手段１６の残量容量の換算値として計算しておく。また、この参考例４における制御の流れに関しては、図５に示すフローチャートが適用されるのは勿論である。
【００４１】
上述した参考例４においては、光ディスクの種類に応じて電力セーブモードの態様を選択していたが、これに代えて、再生信号の種類と線速度に応じて電力セーブモードの態様を選択するようにしてもよい。図１０はこのような実施例のブロック構成図を示している。ここでは、信号種類決定手段３６と制御手段２７との間に線速度決定手段３８を設けており、転送レートから設定すべき光ディスクの線速度、すなわちスピンドルモータの回転数を求めて、その決定結果を制御手段２７へ入力している。他の構成部分は図８に示す参考例３の構成と同じなので、同一符号を付して説明を省略する。
【００４２】
ここでは再生される再生信号として、例えばポータブル機器においてＤＶＤディスクでオーディオ信号の転送レートが高い信号と低い信号を再生する場合を例にとって説明する。例えば記録信号がリニアＰＣＭの６チャネルの信号を再生する時であって、転送レートを例えば８Ｍｂｐｓとして高く設定して記録時間を２時間程度とするモードの時には態様４を選択する。また、再生信号がＭＰＥＧ１の２チャネルの信号を再生する時であって転送レートを例えば２Ｍｂｐｓとして記録時間を８時間程度とするモードの時には態様５を選択する。
【００４３】
このように、制御手段２７は信号種類決定手段３６からの信号種類決定結果と線速度決定手段３８の決定結果とに基づいて電力セーブモードとして上記態様４または態様５のいずれか一方を選択する。例えば、転送レートが遅い場合には、スピンドルモータの回転数を落とし、すなわち線速度を落として再生する。例えば本実施例の場合には、ＭＰＥＧ１を再生する場合には、リニアＰＣＭを再生する場合に対して１／２にディスクの回転数を落とす。また、各態様毎に通常モードへの復帰のタイミングが異なるので、復帰のタイミングを、一時記憶手段１６の残量容量の換算値として計算しておく。ここで一時記憶手段１６の記憶時間が変わらないのに、低電力のモードを変えている理由は、ディスクの回転数が半分に落ちているために、ディスクからの読み出し時間が実質的に２倍になっていて、通常の回転数と比較した場合に、低消費電力化できる時間が短くなるからである。更に、この実施例における制御の流れに関しては、図４及び図５に示すフローチャートが適用されるのは勿論である。
【図面の簡単な説明】
【００４４】
【図１】記録装置の参考例１を示すブロック構成図である。
【図２】光ディスク内のセクタの概念を説明するための説明図である。
【図３】一時記憶手段内の記憶データ量の変化を示すグラフである。
【図４】参考例１の装置の動作のフローチャートを示す図である。
【図５】参考例１の装置の動作のフローチャートを示す図である。
【図６】参考例２を示すブロック構成図である。
【図７】態様４〜６における電力セーブモードの時間の長さや通常モードへ復帰するまでの消費電力の変化を示す図である。
【図８】参考例３を示すブロック構成図である。
【図９】参考例４を示すブロック構成図である。
【図１０】実施例を示すブロック構成図である。
【符号の説明】
【００４５】
１…光ディスク、３…レーザ発生手段、４…ピックアップ手段、６…再生・サーボ信号生成手段、７…サーボブロック、８…フォーカス制御手段、９…トラッキング制御手段、１０…ドライバ手段、１４…信号処理手段、１５…エラー訂正手段、１６…一時記憶手段、１７…伸長手段、２３…データ量管理手段、２４…タイマー、２５…再生セクタ記憶部、２７…制御手段、３５…速度検出手段、３６…信号種類決定手段、３７…ディスク種類判別手段、３８…線速度決定手段。
【図１】
2008204608.tif 000003
【図２】
2008204608.tif 000004
【図３】
2008204608.tif 000005
【図４】
2008204608.tif 000006
【図５】
2008204608.tif 000007
【図６】
2008204608.tif 000008
【図７】
2008204608.tif 000009
【図８】
2008204608.tif 000010
【図９】
2008204608.tif 000011
【図１０】
2008204608.tif 000012